【事件の表示】
　特願２００６−５１３２２６「オーディオ識別子を用いたプレイリストの作成」拒絶査定不服審判事件〔平成１６年１１月１１日国際公開、ＷＯ２００４／０９７８３２、平成１８年１０月２６日国内公表、特表２００６−５２４４１１〕について、次のとおり審決する。
【結　論】
　本件審判の請求は、成り立たない。
【理　由】
１．手続の経緯 
　
　本願は、２００４年４月２３日（パリ条約による優先権主張外国庁受理２００３年４月２４日、米国）を国際出願日とする出願であって、平成２１年１２月３日付けで拒絶査定がなされ、これに対して、平成２２年４月８日に拒絶査定不服審判が請求されるとともに、同日付けで手続補正書が提出された。
　
　その後、当審において、平成２３年２月１５日付けで前置報告書（特許法第１６４条第３項）を利用した審尋を行ったところ、同年８月１２日付けで回答書が提出され、同年１１月１６日付けで拒絶理由を通知したところ、平成２４年５月２８日付けで手続補正書が提出されたものである。
　
　
２．本願発明
　
  本願の請求項１に係る発明（以下、「本願発明」という。）は、平成２４年５月２８日付け手続補正書の特許請求の範囲の請求項１に記載された次のとおりのものである。
　
「　　【請求項１】
　ディジタル・オーディオ・データ・ファイルのプレイリストを作成する方法であって、
　前記プレイリストに含めるために、一組のディジタル・オーディオ・データ・ファイルをユーザーが選択できるようにするステップと、
　前記選択された一組のディジタル・オーディオ・データ・ファイルにおける前記ディジタル・オーディオ・データ・ファイルの各々からのオーディオ・クリップを連続的に再生することにより前記選択された一組のディジタル・オーディオ・データ・ファイルにおける前記ディジタル・オーディオ・データ・ファイルのいずれを前記プレイリストに含めるかを前記ユーザーが決定できるようにし、各々のオーディオ・クリップが再生されている間にユーザー入力を受信したかを検出するステップと、
　現在再生中のオーディオ・クリップが再生されている間の前記ユーザー入力の検出に応じて、前記現在再生中のオーディオ・クリップに関連付けられたディジタル・オーディオ・データ・ファイルの識別データを、
前記ディジタル・オーディオ・データ・ファイルの記憶場所を決定するためのファイル管理システムにおけるパス名を含み、
を含む、前記方法。」
　
　
３．引用例
　
　当審における拒絶理由で引用された本願優先権主張の日前に頒布された刊行物である特開２００３−３０９６４号公報（以下、「引用例」という。）には、図面とともに、次の事項が記載されている。（なお、以下、摘記事項の下線は当審で付した。）
　
ア．「【０００４】
【発明が解決しようとする課題】ところが、ＨＤＤに大量のアルバムを格納した場合、アルバム名あるいはトラック名が画面に収まりきらなくなり、ユーザは画面をスクロールしながら、所望のアルバムのアルバム名あるいは所望のトラックのトラック名を検索しなければならないため、所望のアルバムあるいはトラックを検索する作業は、ユーザにとって煩わしいものとなっていた。
【０００５】また、データ検索が文字のみの情報により行われ、直感的でないため、所望のオーディオデータを検索するためには時間がかかってしまうという問題もあった。
【０００６】さらに、ＨＤＤに大量のアルバムを格納した場合、ユーザが、検索したいアルバムのアルバム名や検索したいトラックのトラック名（曲タイトル）を知らない場合が頻繁にあり、所望のアルバムやトラックを検索することは困難であった。
【０００７】したがって、この発明の目的は、ユーザが、所望のアルバムあるいはトラックを容易に検索することができる再生装置および編集装置を提供することにある。
【０００８】また、所望のアルバムおよびトラックを直感的に検索することができる再生装置および編集装置を提供することにある。
【０００９】さらに、ユーザが検索したいアルバムのアルバム名やトラックのトラック名を知らない場合にも、検索を容易に行うことができる再生装置および編集装置を提供することにある。」
　
イ．「【０１０４】
操作装置３０４は
プレイリスト登録キー
エンターキー
などを備え、これらのキーが押されると、その押されたキーに応じた信号が、コントローラ３０２に供給される
　
ウ．「【０１０８】ファイル管理処理装置３０５は、コントローラ３０２に対して接続される。この
ファイル管理処理装置３０５は、ＨＤＤ１０４内のファイル管理構造を制御する装置
【０１０９】すなわち、ファイル管理処理装置３０５は、コントローラ３０２および１０５を介して、ディスク収納ユニット３のスロット数に応じた数のフォルダーを、ＨＤＤ１０４内に予め作成しておく。そして、ダビング時などには、各アルバムを、自動的に選択されるフォルダーに格納する。
【０１１０】また、ファイル管理処理装置３０５は、上述したアルバム格納用のフォルダーに加え、プレイリスト格納用のフォルダーを作成しておき、このフォルダーにプレイリストを格納する。すなわち、プレイリストもアルバムと同様の管理下に置かれ、アルバムの一つとして管理される。これにより、この発明の一実施形態によるダビング装置では、アルバムとプレイリストとを、別々に管理することなく、一元的に管理できる。
【０１１１】なお、この発明の一実施形態においては、
ファイル管理処理装置３０５は、ＨＤＤ１０４内に、アルバム格納用の
フォルダーと、プレイリスト格納用の
フォルダーとを作成する
【０１１２】また、
ファイル管理処理装置３０５は、操作装置３０４からコントローラ３０２を介して供給される信号に基づき、プレイリストを作成あるいは更新する
プレイリストは、ユーザが所望する曲を登録するためのものである。具体的には、ＨＤ記録再生装置１０１に格納されたアルバムより好みの曲を選出し、プレイリストに登録することにより、好みの曲のみを、登録順に再生したり、プログラムに基づいて再生したり、シャッフルして再生したりすることができる
プレイリストに登録されるのは、実際の音楽データではなく、曲のタイトルおよびこの曲の実際の音楽データのありかを示したポインタなどである
　
エ．「【０１２９】図１９は、この発明の一実施形態によるダビング装置のファイル管理構造を説明するためのイメージ図である。なお、図１９においては、便宜上、ＣＤチェンジャ１に搭載された１６枚のアルバムを、それぞれ、ＨＤ記録再生装置１０１に備えられた１６個のフォルダーに格納する例が示されている。
【０１３０】図１９Ａは、ＣＤチェンジャ１が備えるディスク収納ユニット３に装填されたＣＤ６のイメージを示した模式図である。図１９Ａに示すように、１６枚のアルバムが、ＣＤチェンジャ１のスロット１から１６までに装填されている。
【０１３１】図１９Ｂは、図１９Ａに示したＣＤチェンジャ１のアルバム格納イメージに合わせて、ＨＤ記録再生装置１０１におけるファイル管理構造を示したイメージ図である。この発明の一実施形態によるダビング装置では、ファイル管理処理装置３０５が、ＣＤチェンジャ１のスロット数に応じた数のフォルダーをＨＤＤ１０４に作成するため、ユーザは、ＨＤＤ１０４内に、ＣＤ６を収納するような仮想的な箱、すなわち仮想的なスロットが存在するようにイメージすることができる。すなわち、この発明の一実施形態によるダビング装置は、ＨＤＤ１０４内に、あたかもディスク収納ユニット３が存在するようなファイル管理構造を有している。
【０１３２】これにより、ユーザは、ＣＤチェンジャ１に装填されたＣＤ６のオーディオデータをＨＤ記録再生装置１０１に格納後も、ＣＤチェンジャ１に装填されたＣＤ６の収納イメージを維持することができる。よって、ユーザは、あたかもＣＤチェンジャ１を操作しているかのように、ＨＤ記録再生装置１０１を操作できる。」
　
オ．「【０１６２】
ハイライトポイントは、ハイライトとなる部分の位置情報
ハイライトとは、例えばコンテンツが音楽ソースである場合には、曲の前奏部分、間奏部分、後奏部分およびクライマックス部分などの曲全体の特徴が印象付けられる部分である
このハイライトポイントを用いて、フォルダー内に格納された各トラック中の代表となる部分を再生することで、ユーザは、複数のトラックから所望の楽曲を容易に検索することができる
　
カ．「【０１６９】なお、この発明の一実施形態によるダビング装置では、ＨＤ記録再生装置１０１に格納された各アルバムのハイライトを、フォルダー番号順（仮想的スロット番号順）に順次再生するアルバムハイライトスキャン再生と、
アルバムに含まれる各トラックのハイライトを、トラック番号順に順次再生するトラックハイライトスキャン再生
　
キ．「【０１９８】この発明の一実施形態によるダビング装置では、上述のようにして登録された
ハイライトを用いて
所望のトラックを検索することができる
選択されているアルバム（カレントアルバム）から所望のトラックを検索する第２の検索モードとしてのトラック検索モード
【０１９９】図２７は、この発明の一実施形態によるダビング装置におけるアルバム＆トラック検索モードの検索処理のイメージを示す。なお、図２７は、例として、ユーザが所望するトラックが、フォルダー３（仮想的スロット３）に格納されたアルバム３のトラックである場合の検索処理のイメージを示している。
【０２００】所望するトラックを見つけ出すためには、まず、アルバムハイライトスキャン再生を行う。具体的には、図２７Ａに示すように、アルバム１のハイライトトラックのハイライト、アルバム２のハイライトトラックのハイライト、・・・を、順次再生する再生する
【０２０１】アルバムハイライトスキャン再生中に所望のアルバムが見つかった場合には、
トラックハイライトスキャン再生を行う。具体的には、図２７Ｂに示すように、トラック１のハイライト、トラック２のハイライト、トラック３のハイライト、・・・を、順次再生する
【０２０２】上述したような処理により、複数のアルバムの中から所望のトラックを見つけ出すことができる。
所望するトラックが見つかった場合には、そのトラックを再生するばかりではなく、システムコントローラ３０１に備えられたプレイリスト登録キーなどを操作することにより、プレイリストに登録することもできる
　
ク．「【０２０３】図２８および２９は、この発明の一実施形態によりダビング装置における、ハイライト検索の操作および処理を説明するためのフローチャートである。
・・・（中略）・・・
【０２０８】ステップＳ１４２において、検索モードとして“トラック検索モード”を選択した場合には、システムコントローラ３０１に備えられた数字キーなどにより、
検索を所望するアルバムのトラックを選択した後
トラックハイライトスキャン再生を開始する
選択されたアルバム（カレントアルバム）に含まれる各トラックのハイライトが、トラック番号順に再生される
【０２０９】次に、
ＨＤＤ記録再生値１０１で再生されるアルバムの各トラックのハイライトを聴取し、所望するトラックが再生されているか否かを判断する
所望するトラックが再生されている場合には、システムコントローラ３０１に備えられたＹＥＳキーあるいはエンターキーなどを押す
【０２１０】ステップＳ１４２において、検索モードとして“アルバム＆トラック検索モード”を選択した場合には、システムコントローラ３０１に備えられたハイライトキーを押し（ステップ１５１）、アルバムハイライトスキャン再生を開始する（ステップ１５２）。これにより、各アルバムのハイライトが、フォルダー番号順（仮想的スロット番号順）に再生される。
【０２１１】次に、ＨＤＤ記録再生値１０１で再生されるアルバムのハイライトを聴取し、所望するアルバムが再生されているか否かを判断する（ステップ１５３）。所望するアルバムが再生されている場合には、システムコントローラ３０１に備えられたＹＥＳキーあるいはエンターキーを押す。これにより、トラックハイライトスキャン再生が開始され、所望するアルバムに含まれるトラックが、トラック番号順に順次再生される（ステップ１５４）。所望するアルバムが再生されていない場合には、次のアルバムのハイライトを聴取する。なお、ステップ１５３において、アルバムハイライトスキャン再生を終了したい場合、あるいは所望のアルバムのハイライトの再生が過ぎてしまった場合には、ＮＯキーあるいはキャンセルキーなどにより、アルバムハイライトスキャン再生を終了するようにしてもよい。
【０２１２】次に、ステップ１５３で選択されたアルバムに含まれる各トラックのハイライトを聴取し、所望するトラックが再生されているか否かを判断する（ステップ１５５）。所望するトラックが再生されている場合には、システムコントローラ３０１に備えられたＹＥＳキーあるいはエンターキーを押す。これにより、所望するトラックが、はじめから再生される（ステップ１５６）。所望するトラックが再生されていない場合には、次のトラックのハイライトを聴取する。なお、ステップ１４５において、トラックハイライトスキャン再生を終了したい場合、あるいは所望のトラックのハイライトの再生が過ぎてしまった場合には、キャンセルキーにより、トラックハイライトスキャン再生を終了するようにしてもよい。
【０２１３】
次に
トラック検索モード
により、検索された
トラックを、プレイリストに登録する
【０２１４】
プレイリストに登録する場合には、システムコントローラ３０１の操作装置３０４に備えられたプレイリスト登録キーを押す
これにより、プレイリストへの登録が開始され
【０２１５】次に、システムコントローラ３０１の操作装置３０４を用いて、プレイリスト格納用の仮想的スロットとして、ＨＤ記録再生装置１０１のフォルダー番号、すなわち仮想的スロットのスロット番号を選択する（ステップ１６０）。これにより、ステップ１６０で選択したフォルダーに（仮想的スロット）に
プレイリストが作成される
　
ケ．「【０２４８】また、この発明の一実施形態によるダビング装置では、アルバムハイライトスキャン再生、トラックハイライトスキャン再生、あるいはアルバムハイライトスキャン再生とトラックハイライトスキャン再生との両方を行うことにより、ＨＤ記録再生装置１０１に格納された複数のアルバムから所望のアルバムを、ＨＤ記録再生装置１０１に格納された特定アルバムから所望のトラックを、あるいは、ＨＤ記録再生装置１０１に格納された複数のアルバムから所望のトラックを、簡単かつ直感的に検索することができる。
【０２４９】さらに、トラックハイライトスキャン再生では、所定アルバムが有する各トラックのハイライトが順次再生されるので、簡単かつ即座に所望のトラックを、所定のアルバムから検索することができる。
・・・（中略）・・・
【０２５１】また、アルバム＆トラック検索モードでは、各アルバムの代表曲であるハイライトトラックのハイライトが順次再生し、所望のアルバムを特定し、さらに、このアルバムが有する各トラックのハイライトが順次再生し、所望のトラックを検索できるので、所望のトラックを、複数のアルバムから高速に検索することができる。
・・・（中略）・・・
【０２５３】さらにまた、アルバムのハイライトおよびトラックのハイライトを聴取しながら、所望のアルバムおよびトラックを検索することができるので、ユーザは、所望のアルバムおよびトラックを容易に検索することができる。また、所望のアルバムおよびトラックを直感的に検索することができる。さらに、ユーザが検索を所望するアルバムのアルバム名やトラックのトラック名を知らない場合にも、検索を容易に行うことができる。」
　
　上記「ア．」ないし「ケ．」の記載を図面とともに総合勘案し、また、プレイリストを作成するにあたり、ユーザがプレイリストに登録するトラックを検索することはごく普通のことであり、所望するトラックを検索して、プレイリストに登録するという一連の動作についてまとめると、引用例には次の発明（以下、「引用発明」という。）が記載されている。
　
　デジタルのオーディオデータであるトラックのプレイリストを作成する方法であって、
　アルバムをユーザが選択するステップと、
　選択されたアルバムに含まれる各トラックのハイライトを順次再生することにより、所望するトラックのハイライトが再生されているか否かを前記ユーザが判断し、前記所望するトラックのハイライトが再生されている場合には、前記ユーザが所定のキーを押すステップと、
　前記ユーザがプレイリスト登録キーを押すことにより、前記所望するトラックのハイライトに対応したトラックの実際のオーディオデータのありかを示したポインタを、前記プレイリストに登録するステップと、
を含む、前記方法。
　
　
４．対比
　
　引用発明と本願発明とを対比する。
　
　引用発明の「デジタルのオーディオデータであるトラック」は、本願発明の「ディジタル・オーディオ・データ・ファイル」に相当する。
　引用発明の「プレイリスト」は、本願発明の「プレイリスト」に相当する。
　
　引用発明の「アルバム」は、ＣＤのアルバムと同義であって、複数のトラックの集合を意味するから、本願発明の「一組のディジタル・オーディオ・データ・ファイル」に相当する。
　また、引用発明の「アルバムをユーザが選択する」のは、プレイリストに登録する（トラックを検索する）ためであり、引用発明のアルバムを「ユーザが選択する」とは、再生装置の動作に即して記載すると、アルバムをユーザが選択できるようにすることに他ならないから、本願発明の「前記プレイリストに含めるために」、「一組のディジタル・オーディオ・データ・ファイルをユーザーが選択できるようにする」ことは、実質的に特定されている。
　
　引用発明のトラックの「ハイライト」は、トラック中の代表となる部分である（上記３．「オ」）、すなわち、トラックの所定の部分であるから、本願発明の「オーディオ・クリップ」に相当する。
　すると、引用発明の「選択されたアルバムに含まれる各トラックのハイライトを順次再生することにより」は、本願発明の「前記選択された一組のディジタル・オーディオ・データ・ファイルにおける前記ディジタル・オーディオ・データ・ファイルの各々からのオーディオ・クリップを連続的に再生することにより」に相当する。
　また、引用発明の「所望するトラック」とは、ユーザがプレイリストに登録するトラックを含むので、引用発明の「所望するトラックのハイライトが再生されているか否かを前記ユーザが判断し」とは、再生装置の動作に即して記載すると、選択されたアルバムにおけるトラックのいずれをプレイリストに登録するかをユーザが決定できるようにしていることに他ならないから、本願発明の「前記選択された一組のディジタル・オーディオ・データ・ファイルにおける前記ディジタル・オーディオ・データ・ファイルのいずれを前記プレイリストに含めるかを前記ユーザーが決定できるようにし」は、実質的に特定されている。
　また、引用発明の「前記所望するトラックのハイライトが再生されている場合には、前記ユーザが所定のキーを押す」とは、再生装置の動作に即して記載すると、所望するトラックのハイライトが再生されている間に、ユーザにより押された所定のキーに応じた信号を受信したことを検出したことに他ならず、そのためには、各々のトラックのハイライトが再生されている間に、ユーザにより押された所定のキーに応じた信号を受信したかを検出していることは明らかであるから、本願発明の「各々のオーディオ・クリップが再生されている間にユーザー入力を受信したかを検出する」は、実質的に特定されている。
　
　引用発明の前記所望とするトラックの「ハイライトに対応したトラック」は、本願発明の「オーディオ・クリップに関連付けられたディジタル・オーディオ・データ・ファイル」に相当する。
　すると、引用発明のトラックの「実際のオーディオデータのありかを示したポインタ」は、本願発明のディジタル・オーディオ・データ・ファイルの「識別データ」に相当する。
　また、引用発明の「前記ユーザがプレイリスト登録キーを押すことにより」、前記プレイリストに登録するとは、再生装置の動作に即して記載すると、ユーザにより押されたプレイリスト登録キーに応じた信号の検出に応じて、前記プレイリストに登録することに他ならないから、本願発明の「ユーザー入力の検出に応じて」、前記プレイリストに含めることは、実質的に特定されている。
　
　以上のことから、引用発明と本願発明の一致点及び相違点は、次のとおりである。
　
［一致点］
「　ディジタル・オーディオ・データ・ファイルのプレイリストを作成する方法であって、
　前記プレイリストに含めるために、一組のディジタル・オーディオ・データ・ファイルをユーザーが選択できるようにするステップと、
　前記選択された一組のディジタル・オーディオ・データ・ファイルにおける前記ディジタル・オーディオ・データ・ファイルの各々からのオーディオ・クリップを連続的に再生することにより前記選択された一組のディジタル・オーディオ・データ・ファイルにおける前記ディジタル・オーディオ・データ・ファイルのいずれを前記プレイリストに含めるかを前記ユーザーが決定できるようにし、各々のオーディオ・クリップが再生されている間にユーザー入力を受信したかを検出するステップと、
　ユーザー入力の検出に応じて、オーディオ・クリップに関連付けられたディジタル・オーディオ・データ・ファイルの識別データを、前記プレイリストに含めるステップと、
を含む、前記方法。」である点。
　
［相違点１］
　本願発明では、「現在再生中のオーディオ・クリップが再生されている間の前記」ユーザー入力の検出に応じて、「前記現在再生中の」オーディオ・クリップに関連付けられたディジタル・オーディオ・データ・ファイルの識別データを、前記プレイリストに含めるのに対して、引用発明では、
現在再生中のハイライトが再生されている間の
前記現在再生中の
　
［相違点２］
　「識別データ」が、本願発明では、「前記ディジタル・オーディオ・データ・ファイルの記憶場所を決定するためのファイル管理システムにおけるパス名」を含むのに対して、引用発明では、「トラックの実際のオーディオデータのありかを示したポインタ」を含む点。
　
　
５．判断
　
　上記相違点について検討する。
　
［相違点１について］
　ディジタル・オーディオ・データ・ファイルのプレイリストを作成する方法において、各々のオーディオ・クリップが再生されている間にユーザー入力を受信したかを検出し、現在再生中のオーディオ・クリップが再生されている間の前記ユーザー入力の検出に応じて、前記現在再生中のオーディオ・クリップに関連付けられたディジタル・オーディオ・データ・ファイルの識別データをプレイリストに含めることは、例えば、特開平９−１６１３７６号公報、特開平３−３５４８６号公報等に記載されるように、周知の技術である。
（特開平９−１６１３７６号公報には、各トラックが所定時間ずつ再生されるイントロ再生モードにおいて、イントロ再生中に再生トラック予約手段が操作されたかを検出し、再生トラック予約手段が操作されると、再生中のイントロに関連した再生希望のトラックのトラックナンバーをメモリ手段に格納することが記載されている（請求項１、【０００１】，【００２２】，【００９０】−【００９５】、図９等）。
　特開平３−３５４８６号公報には、複数の曲をそれぞれの先頭から所定時間だけ順次演奏し、演奏中にメモリーキーが操作されたかを検出し、メモリーキーが操作されると、演奏中の曲のトラック等の情報をメモリーに入力することが記載されている（請求項２、第２頁左上欄第１１−１５行，第２頁右下欄第１３−１５行，第２頁右下欄第２０行−第３頁左上欄第３行，第３頁左上欄第１８行−同右上欄第１８行、第３図等）。）
　そして、引用発明と上記周知技術とは、ディジタル・オーディオ・データ・ファイルのプレイリストを作成するという同一の技術分野に属するし、ともに１つのアルバム（単一のＣＤ）に含まれるトラックを対象にプレイリストを作成するという点でも共通することから、引用発明において、上記周知技術を適用することを妨げる特段の事情も窺えない。
　よって、引用発明において、上記周知技術をもとに、各々のハイライトが再生されている間にユーザー入力（ユーザにより押されたプレイリスト登録キーに応じた信号）を受信したかを検出し、現在再生中のハイライトが再生されている間の前記ユーザー入力の検出に応じて、前記現在再生中のハイライトに関連付けられたトラックの識別データをプレイリストに含めるようにすることで、本願発明の「各々のオーディオ・クリップが再生されている間にユーザー入力を受信したかを検出」し、「現在再生中のオーディオ・クリップが再生されている間の前記ユーザー入力の検出に応じて、前記現在再生中のオーディオ・クリップに関連付けられたディジタル・オーディオ・データ・ファイルの識別データを、」「前記プレイリストに含める」ようにすることは、当業者にとって容易に想到し得たことである。
　
［相違点２について］
　引用例には、アルバムやトラックがファイル管理処理装置により管理されることが記載されている（上記３．「エ」等）から、引用発明の「トラックの実際のオーディオデータのありかを示したポインタ」とは、トラックの実際の記憶場所を示したファイル管理処理装置におけるパス名を実質的に意味すると解するのが妥当であり、仮にこれを意味しないとしても、これにすることは、適宜なし得ることである。
　よって、「識別データ」を「前記ディジタル・オーディオ・データ・ファイルの記憶場所を決定するためのファイル管理システムにおけるパス名」とすることは、引用発明に実質的に特定されていることであるか、または、引用発明から適宜なし得ることである。
　
　そして、本願発明が奏する効果についても、格別なものがあるとはいえない。
　
　以上のとおりであるから、本願発明は、引用発明及び周知技術に基づいて、当業者が容易に発明をすることができたものである。
　
　
＜「４．対比」及び「５．判断」についての補足＞
　
　
本願発明の記載では
（２）各々からのオーディオ・クリップを連続的に再生している間に、１つのオーディオ・クリップが選択された後も、最後のオーディオ・クリップに到達するまで、オーディオ・クリップを順次再生し、続けて他のオーディオ・クリップが選択できる
ことが特定されていないが、仮に本願発明が、前記（２）の内容を意図するものであるとして
一応
　
　ディジタル・オーディオ・データ・ファイルのプレイリストを作成する方法において、各々のオーディオ・クリップが連続的に再生されている間にユーザー入力を受信したかを検出し、現在再生中のオーディオ・クリップが再生されている間の前記ユーザー入力の検出に応じて、前記現在再生中のオーディオ・クリップに関連付けられたディジタル・オーディオ・データ・ファイルの識別データをプレイリストに含める際に、１つのオーディオ・クリップが選択された後も、最後のオーディオ・クリップに到達するまで、オーディオ・クリップを連続的に再生し、続けてオーディオ・クリップが選択できるようにすることは、例えば、特開平９−１６１３７６号公報、特開平３−３５４８６号公報等に記載されるように、周知の技術である。
（特開平９−１６１３７６号公報には、イントロ再生中に再生希望のトラックに対応するイントロが選択された後も、最終トラックまで、引き続きイントロ再生することにより、続けて再生希望のトラックに対応するイントロが選択できることが記載されている（【００９３】，【００９４】、図９等）。
　特開平３−３５４８６号公報には、曲の先頭部分の演奏中に所望の曲に対応する曲の先頭部分が選択された後も、次の曲の先頭部分を順次演奏することにより、続けて所望の曲に対応する曲の先頭部分が選択できることが記載されている（第３頁右上欄第１５−１８行、第３図等）。）
　そして、引用発明と上記周知技術とは、ディジタル・オーディオ・データ・ファイルのプレイリストを作成するという同一の技術分野に属するし、ともに１つのアルバム（単一のＣＤ）に含まれるトラックを対象にプレイリストを作成するという点でも共通することから、引用発明において、上記周知技術を適用することを妨げる特段の事情も窺えないので、引用発明において、上記周知技術をもとに、１つのハイライトが選択された後も、最後のハイライトに到達するまで、ハイライトを順次再生し、続けてハイライトが選択できるようにすることは、当業者にとって容易に想到し得たことである。
　
　したがって、
仮に当該相違点を認めたとしても
　
　
６．むすび
　
　以上のとおり、本願の請求項１に係る発明は、特許法第２９条第２項の規定により特許を受けることができない。
　したがって、本願は、拒絶すべきものである。
　よって、結論のとおり審決する。